(57)【要約】【課題】構造が比較的簡単であり、生産コストが比較的低い透光布面を有するブラインドを提供する。【解決手段】位置決めコード組１６は、前コード１７および後コード１８を含み、ヘッドレール１２およびボトムレール１４の間に連結される。遮光スラット２２は、布製であり、ヘッドレール１２およびボトムレール１４の間に並列される。遮光スラット２２の長側辺には支持骨２４が設けられ、支持骨２４はそれぞれ位置決めコード組１６と連結されている。透光垂片２６は、布製であり、長さは透光スラット２２とほぼ等しい。透光垂片２６の長側辺は遮光スラット２２の前縁あるいは後縁と連結され、布面は自然に垂下し、遮光スラット２２の前側あるいは後側のどちらか片方に連なる。制御装置３４は、遮光スラット２２を上方向に収縮あるいは下方向に伸張させたり、また遮光スラット２２を傾斜させたりできる。【選択図】      図１
2004332506.tif 000002
【特許請求の範囲】
【請求項１】
窓の上縁位置に横向きに設置される１個のヘッドレールと、
横向きを呈し、該ヘッドレールの下方に位置する１個のボトムレールと、
１本の前コードおよび１本の後コードを含み、該前コードおよび該後コードはどちらも縦向きであり、該ヘッドレールおよび該ボトムレールの間に連結される少なくとも２個の位置決めコード組と、
材質は布類であって、それぞれ長条片状であり、左右方向に伸び、該ヘッドレールおよび該ボトムレールの間に並列され、かつ各位置決めコード組の前コードおよび後コードの間に挟まれている遮光スラットであって、各遮光布片の２個の長側辺には縁辺に沿って伸びる１個の支持骨が設けられ、該支持骨はそれぞれ各位置決めコード組の前コードおよび後コードと連結されている遮光スラットと、
材質は布類であって、それぞれ長条片状であり、長さは該遮光スラットとほぼ等しい透光垂片であって、各透光垂片の１個の長側辺は１個の該遮光スラットの前縁あるいは後縁と連結され、布面は自然に垂下し、該遮光スラットの前側あるいは後側の少なくともどちらか片方に、縦向きに伸びる１個の布面として連なる透光垂片と、
使用者が該ボトムレールを引っ張り上げる、あるいは下ろすことが可能になっており、これにより該遮光スラットを上方向に収縮あるいは下方向に伸張することが可能であり、また各位置決めコード組の前コードおよび後コードを縦方向へ相対的に移動させることにより、該遮光スラットを動かし傾斜させることが可能である１個の制御装置と、
を備えることを特徴とする透光布面を有するブラインド。
【請求項２】
該遮光スラットの透光率は比較的低く、該透光垂片の透光率は比較的高いことを特徴とする請求項１記載の透光布面を有するブラインド。
【請求項３】
該透光垂片はミシン縫い方式で該遮光スラットと接合されていることを特徴とする請求項２記載の透光布面を有するブラインド。
【請求項４】
各遮光スラットの所定の側辺の側縁には１個の該透光垂片が設けられ、各透光垂片の短軸方向の幅は隣り合う２個の該遮光スラットの距離とほぼ等しいことを特徴とする請求項１記載の透光布面を有するブラインド。
【請求項５】
各透光垂片の短軸方向の幅は隣り合う２個の該遮光スラットの間隔よりもやや大きく、垂片の底縁が次の垂片の上縁部分を局部的に覆うことを特徴とする請求項４記載の透光布面を有するブラインド。
【請求項６】
該透光垂片は該遮光スラットの所定の側辺の側縁に隙間方式で配置され、かつ各透光垂片の短軸方向の幅は隣り合う２個の該遮光スラットの間隔のほぼ２倍であることを特徴とする請求項１記載の透光布面を有するブラインド。
【請求項７】
各透光垂片の短軸方向の幅は隣り合う２個の該遮光スラットの間隔の２倍よりもやや大きく、垂片の底縁が次の垂片の上縁部分を局部的に覆うことを特徴とする請求項６記載の透光布面を有するブラインド。
【請求項８】
該遮光スラットの前後両側にはそれぞれ１個の透光布面が形成されていることを特徴とする請求項１記載の透光布面を有するブラインド。
【請求項９】
各透光垂片の底縁には縁辺に沿って伸びる１個の支持骨が設けられていることを特徴とする請求項１記載の透光布面を有するブラインド。
【請求項１０】
該ヘッドレールは壁上の窓の上縁位置に固定され、その内部には該制御装置により回転させられる２個の連動棒が設けられ、各位置決めコード組の前コードおよび後コードは、上端がその内１個の該連動棒の周面の向かい合う両側に設けられ、該ブラインドは少なくとも２本の吊りコードを有し、各吊りコードは縦向きに伸び、上端は別の１個の連動棒に設けられ、底端は該ボトムレールに設けられていることを特徴とする請求項１記載の透光布面を有するブラインド。
【請求項１１】
各遮光スラット上には対応する数量の孔が設けられ、該吊りコードを貫穿可能になっていることを特徴とする請求項１０記載の透光布面を有するブラインド。
【請求項１２】
該ヘッドレールは窓の上縁位置に枢設され、該制御装置により回転させられ、各位置決めコード組の前コードおよび後コードの上端は該ヘッドレールの周面の向かい合う両側に設けられていることを特徴とする請求項１記載の透光布面を有するブラインド。
【発明の詳細な説明】
【０００１】
【発明の属する技術分野】
本発明はカーテンに関し、さらに詳しくは、透光布面を有するブラインドに関する。
【０００２】
【従来の技術】
横スラット式のブラインドは使用者がスラットを制御して下方向へ伸張あるいは上方向に収縮できるほか、通常人がスラットの傾斜角度を制御して、必要な遮蔽効果が得られるよう調整することもできる。一般のブラインドのスラットは多くがプラスチックあるいは竹片等の不透光（あるいは透光率が低い）材質により形成され、スラット面が直立するよう調整された時、スラットが全面を遮蔽し、スラットが直立していない時は、スラット間の隙間は開放状態となり、光線は直接入射し、室内外を直接見ることができる、このように、従来のブラインドは適切な遮蔽効果に調整しにくい場合がある。
【０００３】
図１３、１４に示されるのは、従来の透光布面を有するブラインド９０である（注：該２図はそれぞれ分解および組立図である）。該ブラインド９０はプラスチック（あるいは木質）のスラット９１上でそれぞれ１個の透光率が比較的高い布片９２と接合されており、各布片９２はスラット９１の上面に重なる１個の接合面９３、および接合面９３の前縁から下方向に垂下する１個の透光面９４を有する。これにより、図１４に示されるように、該布片９２の透光面９４は該スラット９１の前側を覆う薄い布面として連なり、その結果、適切な透光および遮蔽効果を達成することができ、室内に上品な格調を生み出す。
【０００４】
しかし、上述の従来のブラインド９０のスラット９１および布片９２は異なる材料から形成され、さらに交差方式により順に套設され組み付けられ、その構造は比較的複雑であり、組み付けは比較的煩雑である。しかも、各布片９２は面積がスラット９１と等しい１個の接合面９３がスラット９１の上方に重なっており、材料使用の面では比較的浪費と言える。これをまとめると、上述の従来ブラインド９０は期待される効果を達成できるが、しかし生産コストは比較的高く、さらなる改善が待たれていた。
【０００５】
さらに、上述の従来ブラインド９０のスラット９１はプラスチック、木材（竹材）あるいは金属等、透光率の低い材料より形成され、光線（および視線）を完全に遮る、よって使用者がカーテンの状態を調整する時、基本的には窓の所定の局部をある角度の下で透光するか或いはしないかを決定できるだけであり、このような遮蔽効果は、黒でなければ白、すなわち見えるか見えないか、と言ってよく、柔和でおぼろげな透光感を出すことはできない。
【０００６】
【発明が解決しようとする課題】
本発明の主要な目的は、構造が比較的簡単であり、生産コストが比較的低い透光布面を有するブラインドを提供することである。
本発明のもう一つの目的は、比較的柔和な透光、遮蔽効果を有し、視覚印象が比較的柔らかく、室内の雰囲気を上品にできる透光布面を有するブラインドを提供することである。
【０００７】
【課題を解決するための手段】
前述の目的を達成するために、本発明が提供する透光布面を有するブラインドは、以下の内容を含む。１個のヘッドレールは、窓の上縁位置に横向きに設置される。１個のボトムレールは、横向きを呈し、該ヘッドレールの下方に位置する。少なくとも２個の位置決めコード組は、１本の前コードおよび１本の後コードを含み、該前コードおよび該後コードはどちらも縦向きであり、該ヘッドレールおよび該ボトムレールの間に連結される。若干の遮光スラットは、材質が布類であって、それぞれ長条片状であり、左右方向に伸び、該ヘッドレールおよび該ボトムレールの間に並列され、かつ各位置決めコード組の前コードおよび後コードの間に挟まれている。各遮光布片の２個の長側辺には縁辺に沿って伸びる１個の支持骨が設けられ、該２個の支持骨はそれぞれ各位置決めコード組の前コードおよび後コードと連結されている。若干の透光垂片は、材質が布類であって、それぞれ長条片状であり、長さは該透光スラットとほぼ等しい、各透光垂片の１個の長側辺は１個の該遮光スラットの前縁あるいは後縁と連結され、布面は自然に垂下し、該遮光スラットの前側あるいは後側の少なくともどちらか片方に、該透光垂片が縦向きに伸びる１個の布面として連なる。１個の制御装置は、使用者が該ボトムレールを引っ張り上げる、あるいは下ろすことができるようになっており、これにより該遮光スラットを上方向に収縮あるいは下方向に伸張することができ、また各位置決めコード組の前コードおよび後コードを縦方向へ相対的に移動させることにより、該遮光スラットを動かし傾斜させることができる。
【０００８】
【発明の実施の形態】
まず図１から図３をご参照いただきたい。本発明の「透光布面を有するブラインド」の第１の比較的よい実施例の図中の代表符号は１０であり、以下の内容を含む。
１個のヘッドレール１２、１個の中空の枠棒であって、壁上の窓の上縁位置に横向きに固定される。
１個のボトムレール１４、横向きを呈し、該ヘッドレール１２の下方に位置する。
【０００９】
２個の位置決めコード組１６、それぞれ縦向きに伸びかつ前後に向かい合う１本の前コード１７および１本の後コード１８を含み、前コード１７および後コード１８の上縁は該ヘッドレール１２の内部に設置され（後述）、底端は該ボトムレール１４に固定される。該２個の位置決めコード組１６はヘッドレール、ボトムレール１２、１４に対して１個が左、１個が右の対称位置を呈する。窓の横幅のサイズにより、さらに多くの位置決めコード組を設置してもよい。
若干の遮光スラット２２、材質は透光率が比較的低い布であり、それぞれ長条片状を呈する。該スラット２２はそれぞれ左右方向に伸び、該ヘッドレール１２および該ボトムレール１４の間に並列され、かつ該２個の位置決めコード組１６の前コード１７および後コード１８の間に挟まれる。各スラット２２の２個の長側辺にはミシン縫い方式で縁辺に沿って伸びる１個の管状袋２３が設けられ、各管状袋２３内にはそれぞれ１個のプラスチック材質の支持骨２４が収容されており、布質スラット２２の長側辺が概ねまっすぐな状態を維持できるようにしている。当然、支持骨は接着等その他の方法で遮光スラットの縁辺に固定してもよい。該２個の支持骨２４はそれぞれ前コード１７および後コード１８と連結されており、本実施例中では、遮光スラット２２の管状袋２３の適切な位置に切欠き（図中非表示）が形成され、支持骨２４の局部が露出するようになっている。また前コード１７および後コード１８のコード上には等間隔に分布する若干の小さい輪（図中非表示）が形成され、それぞれ前述の切欠きに入り込んで支持骨２４を取り囲んでいる（注：これは従来技術である）。これにより支持骨２４と連結され、該スラット２２は該２個の位置決めコード組１６により維持され、等間隔に並列し、またスラット２２の布面は伸張状態を保持できる。各スラット２２の布面上には左右２個の孔２５が設けられている。
【００１０】
若干の透光垂片２６、数量は遮光スラット２２と等しく、材質は透光率が比較的高い布であり、長条片状を呈し、かつ長さは遮光スラット２２と等しい。各垂片２６は１個の長側辺が１個のスラット２２の前縁（室内側の側縁を指す）と縫い合わされており、別の１個の長側辺はミシン縫い方式により１個の管状袋２７が形成され１個の支持骨２８を収容している。図３をご参照いただきたい、各垂片２６の布面は自然に垂下し、かつその布面の幅Ｄ１は隣り合う２個のスラット２２の間隔Ｄ２（つまり前コード、後コード上の前述の輪の間隔）よりもやや大きい、換言すれば、垂片２６が垂下している時、その底縁は下方のスラット２２の前縁よりもやや低く、つまり次の垂片２６の上縁の前方と局部的に重なっているということであり、これにより、図２に示されるように、該垂片２６は該スラット２２の前側（室内側）に縦向きに伸びる１個の透光布面２９として連なる。同じく、本実施例は、各遮光スラットの後縁にも１個の遮光垂片を接合し、スラットの後ろ側（窓側）に１個の布面を形成してもよい。
【００１１】
２本の吊りコード３２、１本は左、１本は右に対照的に設置され、各吊りコード３２は縦向きに該遮光スラット２２の孔２５を貫穿する。上端は該ヘッドレール１２内部に設けられ（後述）、底端は該ボトムレール１４に固定される。
【００１２】
１個の制御装置３４、１個の昇降制御構造３５および１個の傾斜制御構造３６を含み、その内、該昇降制御構造３５は使用者が該ボトムレール１４を引っ張り上げる、あるいは下ろすことができるようになっており、これにより該遮光スラット２２を上方向に収縮あるいは下方向に伸張することができる。該傾斜制御構造３６は該２個の位置決めコード組１６の前コード１７および後コード１８を縦方向へ相対的に移動させることにより、該遮光スラット２２を動かし傾斜させることができるようになっている。本実施例中の制御装置は従来構造である。つまり、該ヘッドレール１２の内部に２個の連動棒（図中非表示）が枢設され、各連動棒上には左右２個の巻取りドラムが設けられ、前述の２本の吊りコード３２の上端はその内１個の連動棒の２個の巻取りドラム上に連結され、各位置決めコード組１６の前コード１７および後コード１８は別の１個の連動棒の巻取りドラムの向かい合う両側に連結される。この他、該ヘッドレール１２の１端には該２個の連動棒を別々に回転させられる引きコード組３７およびボールチェーン組３８が設けられている。このように前述の昇降制御構造３５および傾斜制御構造３６が構成されている（注：この制御装置は従来構造であり、本実施例の重要な点ではないので、詳述しない）。
【００１３】
以上の構造により、透光布片を有するブラインド１０が完成する。その内、該遮光スラット２２はその低透光率の布面により光線を遮断したり、あるいは室内と室外の間の視線を遮ったりできる。制御装置３４の傾斜制御構造３６により位置決めコード組１６の前コード１７および後コード１８を縦方向へ相対的に移動させた時、各スラット２２の前後の２側縁の支持骨２４を相対的に昇降させることができ、すべてのスラット２２の布面の傾斜姿勢を同時に変化させることができ、これにより、図３、図４に示されるように遮蔽効果を調整する。
【００１４】
各透光垂片２６の布面は自然に垂下し（注：垂片２６の底縁に該支持骨２８が設けられているのは、布辺の美化のためだけではなく、布面が垂下した時にいっそう平坦で安定するようにするためである）、該垂片２６は室内側で該スラット２２を覆う１個の透光布面２９として連なり、その軽く薄い布面は柔らかな透光効果を発揮し、適度な遮光、遮蔽程度を達成し、また室内の美観を増す。
【００１５】
制御装置３４の昇降制御構造３５により、該２本の吊りコード３２を上方向に収縮、つまり該ボトムレール１４を引っ張り上げた時、該遮光スラット２２は下から上へ順に上昇し、かつ漸次重なり合い、最終的に図５に示されるような状態まで収縮される。スラット２２が上方向に重なり合った時、透光垂片２６も整然と積み重なる。つまり、比較的上方の垂片２６が下方の垂片２６の表面に覆い被さる。
【００１６】
製品機能が同等である前述の従来ブラインドと比べると、本発明の構造は明らかに単純であり、製造は比較的快速容易であり、生産コストは比較的低い。さらに、本発明は遮光スラットと透光垂片が必ず異なる材質の布でなければならないとは限定していない。つまり、本発明は適切な透光率を有する布で同時にスラットと垂片を形成してもよく、このようにしても同様に特殊な視覚効果が達成でき、またスラットと垂片の縫合作業が省けるので、コストが更に低減できる。当然、本発明はまた同一の布のスラット上に、コーティングやニスを塗るなどの特殊処理を施してもよく、これによりスラットと垂片の異なる透光率の効果が達成できる。
【００１７】
この他、従来ブラインドのプラスチックあるいは木質のスラットに対して、本発明のスラットは布材質であるため、適度な透光率を有し、透光率が比較的高い垂片が連なり形成された透光布面を組み合わせると、本発明のブラインドは柔和でおぼろげな透光、遮蔽効果を達成でき、柔らかな視覚効果を有し、また室内の雰囲気を上品にすることができる。
【００１８】
図６、図７をご参照いただきたい。本発明の第２の比較的よい実施例が提供する透光布面を有するブラインド４０は、その構造様式は前の実施例とほぼ同等であるが、主に以下の点のみ異なる。本例中の各遮光スラット４２の前縁および後縁にはそれぞれ１個の透光垂片４４が接合されており、これによりスラット４２の前後両側にはそれぞれ１個の透光布面４５が形成され、別の外観様式および遮蔽効果を提供する。
【００１９】
当然、本実施例が提供する構造特徴は、前述の重なり合う形式のブラインドへの応用に限定されず、従来の巻上げ式ブラインドに応用してもよい。例えば図８、図９に示される本発明の第３の比較的よい実施例のブラインド５０は、主に以下の内容を含む。
１個のヘッドレール５２、１個の長形の円筒であり、窓の上縁位置に横向きに枢設され、その場で回転できる。
１個のボトムレール５４、ヘッドレール５２の下方に横向きに位置する。
２個の位置決めコード組５６、１個は左、１個は右に対照的に設置され、それぞれ１本の前コード５７および１本の後コード５８を有し、前コード５７および後コード５８の上端は該ヘッドレール５２に固定され、底端は該ボトムレール５４に固定されている。
【００２０】
若干の遮光スラット６２、構造は前述の実施例と同様であり、それぞれ透光率が比較的低い１個の長条布片であり、２個の長側辺にはそれぞれ１個の支持骨６３が設けられ、該２個の支持骨６３はそれぞれ前コード５７および後コード５８と連結されており、ヘッドレール５２およびボトムレール５４の間に該スラット６２を等間隔で並列させる。
【００２１】
若干の透光垂片６４、それぞれ１個の透光率が比較的高い長条布片であり、それぞれスラット６２の前縁に縫い付けられ、布面は自然に垂下する。
１個の制御装置（図中非表示、従来構造）、使用者が駆使することにより該ヘッドレール５２を適度に回転させ、前コード５７および後コード５８を縦方向へ相対的に移動させ、図１０に示されるように該スラット６２の布面の傾斜角度を変化させる。またヘッドレール５２を継続して回転させることにより、位置決めコード組５６を通じてボトムレール５４を引っ張り上げ、同時に該軟質のスラット６２および垂片６４を図１１のようにヘッドレール５２の周面まで巻収する。
本実施例の巻上げ式ブラインド５０は同様に柔らかい透光効果および上品な外観様式を有し、また同類の製品と比較してコストが比較的低いという利点も備える。
【００２２】
最後に図１２をご参照いただきたい。この比較的よい実施例が提供するブラインド７０の最大の特徴は以下の点にある。垂片７２は隙間方式で遮光スラットの前縁に設けられている。つまり、第１、第３、第５……等の奇数番目のスラット７４ａの前縁にのみ垂片７２が設けられ、第２、第４、第６……等の偶数番目のスラット７４ｂには設けられていない。しかも、各透光垂片７２の短軸方向の幅Ｄ１（すなわち垂下する距離）は、スラットの間隔Ｄ２の２倍であり、換言すれば、垂片７２の下縁は１個のスラット７４ｂを越えて下方の第２個目のスラット７４ａの前縁部分まで到達する。このようにして、該垂片７２はスラット７４ａ、７４ｂの前側に同様に縦向きに伸びる１個の透光布面７６として連なる。
【図面の簡単な説明】
【図１】本発明の第１実施例による透光布面を有するブラインドを示す立体局部分解図である。
【図２】本発明の第２実施例による透光布面を有するブラインドを示す立体組立図である。
【図３】図２に対応する透光布面を有するブラインドを示す側面図であって、スラットの遮光面が水平な状態を示す図である。
【図４】本発明の第１実施例による透光布面を有するブラインドを示す側面図であって、スラットの遮光面が傾斜した状態を示す図である。
【図５】本発明の第１実施例による透光布面を有するブラインドを示す側面図であって、スラットが重なり合った状態を示す図である。
【図６】本発明の第２実施例による透光布面を有するブラインドを示す立体局部分解図である。
【図７】本発明の第２実施例による透光布面を有するブラインドを示す側面図である。
【図８】本発明の第３実施例による透光布面を有するブラインドを示す概略図である。
【図９】図８に対応する透光布面を有するブラインドを示す側面図であって、スラットの遮光面が水平な状態を示す図である。
【図１０】本発明の第３実施例による透光布面を有するブラインドを示す側面図であって、スラットの遮光面が傾斜した状態を示す図である。
【図１１】本発明の第３実施例による透光布面を有するブラインドを示す側面図であって、スラットが巻収過程の状態を示す図である。
【図１２】本発明の第４実施例による透光布面を有するブラインドを示す側面図である。
【図１３】従来のブラインドを示す立体分解図である。
【図１４】従来のブラインドを示す立体組立図である。
【符号の説明】
１０    ブラインド
１２    ヘッドレール
１４    ボトムレール
１６    位置決めコード組
１７    前コード
１８    後コード
２２    遮光スラット
２３    管状袋
２４    支持骨
２５    孔
２６    透光垂片
２７    管状袋
２８    支持骨
２９    透光布面
３２    吊りコード
３４    制御装置
３５    昇降制御構造
３６    傾斜制御構造
３７    引きコード組
３８    ボールチェーン組
４０    ブラインド
４２    遮光スラット
４４    透光垂片
４５    透光布面
５０    ブラインド
５２    ヘッドレール
５４    ボトムレール
５６    位置決めコード組
５７    前コード
５８    後コード
６２    遮光スラット
６３    支持骨
６４    透光垂片
７０    ブラインド
７２    透光垂片
７４    遮光スラット
７６    透光布面
【図１】
2004332506.tif 000003
【図２】
2004332506.tif 000004
【図３】
2004332506.tif 000005
【図４】
2004332506.tif 000006
【図５】
2004332506.tif 000007
【図６】
2004332506.tif 000008
【図７】
2004332506.tif 000009
【図８】
2004332506.tif 000010
【図９】
2004332506.tif 000011
【図１０】
2004332506.tif 000012
【図１１】
2004332506.tif 000013
【図１２】
2004332506.tif 000014
【図１３】
2004332506.tif 000015
【図１４】
2004332506.tif 000016